(57)【要約】【課題】削除された画像データが再度転送されて記憶されてしまうことを抑制する。【解決手段】ＰＣ１４では、ＨＤＤ６６に既に受信済みの画像データと当該画像データにより示される画像の特徴部分の画像を示す特徴画像データとを記憶すると共に、当該受信済みの画像データに付加された識別情報を受信済画像データ情報として記憶しており、画像データが受信された場合に、受信済画像データ情報に基づいて当該画像データが既に受信済みであるか否かを判定すると共に、当該画像データがＨＤＤ６６に記憶されているか否かを判定し、画像データが既に受信済みであり且つＨＤＤ６６に記憶されていないと判定した場合に、特徴部分の画像をディスプレイ６７に表示させると共に、当該画像データを記憶手段に記憶させるか否かの指示を促す情報をディスプレイ６７に表示させ、画像データの記憶が指示された場合に、当該画像データをＨＤＤ６６に記憶させるように制御する。【選択図】図２
2009010482.tif 000002
【特許請求の範囲】
【請求項１】
撮像によって被写体像を示す画像データを取得する撮像手段、前記撮像手段により取得された画像データに対して当該画像データを識別する識別情報を付加する付加手段、前記付加手段により識別情報が付加された画像データにより示される画像から当該画像の特徴を示す特徴部分の画像を特徴画像データとして抽出する抽出手段、及び前記付加手段により識別情報が付加された画像データと前記抽出手段によって抽出された特徴画像データとを関連付けて外部へ送信する送信手段を備えた撮像装置と、
前記送信手段により送信された画像データと特徴画像データを受信する受信手段、既に前記受信手段により受信済みの画像データと特徴画像データとが記憶されると共に、当該受信済みの画像データに付加された識別情報が受信済画像データ情報として記憶された記憶手段、前記受信手段により画像データが受信された場合に、当該画像データに付加された識別情報が前記記憶手段に記憶された受信済画像データ情報に含まれているか否かを判定することによって当該画像データが既に受信済みであるか否かを判定すると共に、当該画像データが前記記憶手段に記憶されているか否かを判定する判定手段、前記判定手段により画像データが既に受信済みであり且つ前記記憶手段に記憶されていないと判定された場合に、当該画像データに関連付けられて前記記憶手段に記憶された特徴画像データにより示される特徴部分の画像を表示すると共に、当該画像データを前記記憶手段に記憶させるか否かの指示を促す情報を表示する表示手段、前記表示手段に表示された指示を促す情報に応じた入力を受け付ける受付手段、及び前記受付手段によって受け付けられた指示入力により示される指示内容が画像データの記憶を指示するものである場合に、当該画像データを前記記憶手段に記憶させるように制御する制御手段を備えた画像記憶装置と、
を備えた撮像画像記憶システム。
【請求項２】
前記特徴部分の画像は、画像データにより示される画像に含まれる人物の顔部分の画像である
請求項１記載の撮像画像記憶システム。
【請求項３】
撮像によって被写体像を示す画像データを取得する撮像手段と、
前記撮像手段により取得された画像データに対して当該画像データを識別する識別情報を付加する付加手段と、
前記付加手段により識別情報が付加された画像データにより示される画像から当該画像の特徴を示す特徴部分の画像を特徴画像データとして抽出する抽出手段と、
前記付加手段により識別情報が付加された画像データと前記抽出手段によって抽出された特徴画像データとを関連付けて外部へ送信する送信手段と、
を備えた撮像装置。
【請求項４】
外部装置より送信される、各データを識別するための識別情報が付加された画像データ、及び当該画像データに関連付けられた、当該画像データにより示される画像の特徴を示す特徴部分の画像を示す特徴画像データを受信する受信手段と、
既に前記受信手段により受信済みの画像データと特徴画像データとが記憶されると共に、当該受信済みの画像データに付加された識別情報が受信済画像データ情報として記憶された記憶手段と、
前記外部装置より画像データが受信された場合に、当該画像データに付加された識別情報が前記記憶手段に記憶された受信済画像データ情報に含まれているか否かを判定することによって当該画像データが既に受信済みであるか否かを判定すると共に、当該画像データが前記記憶手段に記憶されているか否かを判定する判定手段と、
前記判定手段により画像データが既に受信済みであり且つ前記記憶手段に記憶されていないと判定された場合に、当該画像データに関連付けられて前記記憶手段に記憶された特徴画像データにより示される特徴部分の画像を表示すると共に、当該画像データを前記記憶手段に記憶させるか否かの指示を促す情報を表示する表示手段と、
前記表示手段に表示された指示を促す情報に応じた入力を受け付ける受付手段と、
前記受付手段によって受け付けられた指示入力により示される指示内容が画像データの記憶を指示するものである場合に、当該画像データを前記記憶手段に記憶させるように制御する制御手段と、
を備えた画像記憶装置。
【請求項５】
外部装置より送信される、各データを識別するための識別情報が付加された画像データを受信する受信手段と、
前記受信手段により受信された画像データにより示される画像から当該画像の特徴を示す特徴部分の画像を特徴画像データとして抽出する抽出手段と、
既に前記受信手段により受信済みの画像データと特徴画像データとが記憶されると共に、当該受信済みの画像データに付加された識別情報が受信済画像データ情報として記憶された記憶手段と、
前記受信手段により画像データが受信された場合に、当該画像データに付加された識別情報が前記記憶手段に記憶された受信済画像データ情報に含まれているか否かを判定することによって当該画像データが既に受信済みであるか否かを判定すると共に、当該画像データが前記記憶手段に記憶されているか否かを判定する判定手段と、
前記判定手段により画像データが既に受信済みであり且つ前記記憶手段に記憶されていないと判定された場合に、当該画像データに関連付けられて前記記憶手段に記憶された特徴画像データにより示される特徴部分の画像を表示すると共に、当該画像データを前記記憶手段に記憶させるか否かの指示を促す情報を表示する表示手段と、
前記表示手段に表示された指示を促す情報に応じた入力を受け付ける受付手段と、
前記受付手段によって受け付けられた指示入力により示される指示内容が画像データの記憶を指示するものである場合に、当該画像データを前記記憶手段に記憶させるように制御する制御手段と、
を備えた画像記憶装置。
【発明の詳細な説明】
【技術分野】
【０００１】
本発明は、撮像画像記憶システム、撮像装置、及び画像記憶装置に係り、特に、撮像によって得られた画像データを記憶する撮像画像記憶システム、撮像装置、及び画像記憶装置に関する。
【背景技術】
【０００２】
近年、デジタル電子スチルカメラ（以下、「ＤＳＣ」という。）や撮像機能付き携帯電話機等の撮像装置では、内蔵されたフラッシュメモリ等の記録媒体の大容量化に伴い、撮像によって得られた画像データを大量に蓄積することが可能なっている。
【０００３】
また、この種の撮像装置には、例えば、パーソナル・コンピュータ（以下、「ＰＣ」という。）と接続して撮像装置内部に蓄積された画像データをＰＣへ転送することが可能とされているものがある。
【０００４】
ところで、ＰＣでは、以前に転送が行なわれて既に画像データを記憶していたとしても、転送済みの画像データを記憶したフォルダと異なるフォルダに撮像装置から画像データが再度転送された場合、同一の画像データが重複して記憶されてしまう。
【０００５】
この同一の画像データの重複記憶を防止するための技術として、特許文献１には、類似する画像など所定の削除条件に合致する画像データを検索して表示し、ユーザが削除を指定した場合に画像データを削除する技術が開示されている。
【０００６】
この特許文献１の技術を用いて、例えば、撮像装置に蓄積された画像データをＰＣへ転送する際に、転送される画像データと類似する画像データをＰＣ内部から検索することにより、同一の画像データが重複して記憶されることを防止することができる。
【特許文献１】特開２００５−１４１５８４号公報
【発明の開示】
【発明が解決しようとする課題】
【０００７】
ところで、ＰＣでは、例えば、内部に記憶している画像データが他のＰＣに移動されたり、あるいはＣＤ−Ｒなどの外部記録メディアに記憶されたりすることによって当該画像データを内部に記憶させて保存して必要がなくなり、当該画像データが必要に応じて削除されてしまう場合がある。
【０００８】
しかしながら、上記特許文献１の技術を用いたとしても、ＰＣ内部から画像データが削除された場合、撮像装置に蓄積された画像データを再度転送すると、削除された画像データと同一の画像データが撮像装置から再度転送されて記憶されてしまう、という問題点があった。
【０００９】
本発明は上記問題点を解消するためになされたものであり、削除された画像データが再度転送されて記憶されてしまうことを抑制することができる撮像画像記憶システム、撮像装置、及び画像記憶装置を提供することを目的とする。
【課題を解決するための手段】
【００１０】
上記目的を達成するために、請求項１に記載の発明の撮像画像記憶システムは、撮像によって被写体像を示す画像データを取得する撮像手段、前記撮像手段により取得された画像データに対して当該画像データを識別する識別情報を付加する付加手段、前記付加手段により識別情報が付加された画像データにより示される画像から当該画像の特徴を示す特徴部分の画像を特徴画像データとして抽出する抽出手段、及び前記付加手段により識別情報が付加された画像データと前記抽出手段によって抽出された特徴画像データとを関連付けて外部へ送信する送信手段を備えた撮像装置と、前記送信手段により送信された画像データと特徴画像データを受信する受信手段、既に前記受信手段により受信済みの画像データと特徴画像データとが記憶されると共に、当該受信済みの画像データに付加された識別情報が受信済画像データ情報として記憶された記憶手段、前記受信手段により画像データが受信された場合に、当該画像データに付加された識別情報が前記記憶手段に記憶された受信済画像データ情報に含まれているか否かを判定することによって当該画像データが既に受信済みであるか否かを判定すると共に、当該画像データが前記記憶手段に記憶されているか否かを判定する判定手段、前記判定手段により画像データが既に受信済みであり且つ前記記憶手段に記憶されていないと判定された場合に、当該画像データに関連付けられて前記記憶手段に記憶された特徴画像データにより示される特徴部分の画像を表示すると共に、当該画像データを前記記憶手段に記憶させるか否かの指示を促す情報を表示する表示手段、前記表示手段に表示された指示を促す情報に応じた入力を受け付ける受付手段、及び前記受付手段によって受け付けられた指示入力により示される指示内容が画像データの記憶を指示するものである場合に、当該画像データを前記記憶手段に記憶させるように制御する制御手段を備えた画像記憶装置と、を備えている。
【００１１】
請求項１に記載の発明の撮像装置では、撮像手段により、撮像によって被写体像を示す画像データが取得され、付加手段により、撮像手段により取得された画像データに対して当該画像データを識別する識別情報が付加され、抽出手段により、付加手段により識別情報が付加された画像データにより示される画像から当該画像の特徴を示す特徴部分の画像が特徴画像データとして抽出され、送信手段により、付加手段により識別情報が付加された画像データと抽出手段によって抽出された特徴画像データとが関連付けられて外部へ送信される。なお、上記撮像手段には、ＣＣＤイメージセンサ、ＣＭＯＳ（Complementary Metal Oxide Semiconductor）イメージセンサ等の固体撮像素子が含まれる。
【００１２】
一方、請求項１に記載の発明の画像記憶装置では、受信手段により、前記送信手段により送信された画像データと特徴画像データが受信され、記憶手段により、既に前記受信手段により受信済みの画像データと特徴画像データとが記憶されると共に、当該受信済みの画像データに付加された識別情報が受信済画像データ情報として記憶されている。
【００１３】
そして、本発明の画像記憶装置では、受信手段により画像データが受信された場合に、判定手段により、当該画像データに付加された識別情報が記憶手段に記憶された受信済画像データ情報に含まれているか否かを判定することによって当該画像データが既に受信済みであるか否かが判定されると共に、当該画像データが前記記憶手段に記憶されているか否かが判定され、判定手段により画像データが既に受信済みであり且つ前記記憶手段に記憶されていないと判定された場合に、表示手段により、当該画像データに関連付けられて記憶手段に記憶された特徴画像データにより示される特徴部分の画像が表示されると共に、当該画像データを記憶手段に記憶させるか否かの指示を促す情報が表示され、受付手段により、表示手段に表示された指示を促す情報に応じた入力が受け付られ、受付手段によって受け付けられた指示入力により示される指示内容が画像データの記憶を指示するものである場合に、制御手段により、当該画像データを記憶手段に記憶させるように制御される。なお、上記記憶手段には、ＲＡＭ、フラッシュメモリ等の半導体メモリ、コンパクトフラッシュ（登録商標）、ｘＤピクチャカード（登録商標）等の可搬型メモリ、ハードディスク等の固定記憶装置が含まれる。また、上記表示手段には、ＣＲＴ（Cathode Ray Tube）や、液晶ディスプレイ、有機ＥＬディスプレイ等のディスプレイが含まれる。
【００１４】
このように、請求項１に記載の発明の撮像画像記憶システムによれば、撮像装置において、撮像によって被写体像を示す画像データに対して当該画像データを識別する識別情報を付加し、識別情報が付加された画像データにより示される画像から当該画像の特徴を示す特徴部分の画像を特徴画像データとして抽出して、識別情報が付加された画像データと抽出された特徴画像データとを関連付けて外部へ送信する。
【００１５】
一方、請求項１に記載の発明の撮像画像記憶システムによれば、画像記憶装置において、記憶手段に既に受信済みの画像データと特徴画像データとを記憶すると共に、当該受信済みの画像データに付加された識別情報を受信済画像データ情報として記憶しており、撮像装置より送信された画像データが受信された場合に、当該画像データに付加された識別情報が記憶手段に記憶された受信済画像データ情報に含まれているか否かを判定することによって当該画像データが既に受信済みであるか否かを判定すると共に、当該画像データが前記記憶手段に記憶されているか否かを判定し、画像データが既に受信済みであり且つ記憶手段に記憶されていないと判定した場合に、当該画像データに関連付けられて記憶手段に記憶された特徴画像データにより示される特徴部分の画像を表示手段に表示させると共に、当該画像データを記憶手段に記憶させるか否かの指示を促す情報を表示手段に表示させ、表示手段に表示された指示を促す情報に応じて受付手段で受け付けられた指示入力により示される指示内容が画像データの記憶を指示するものである場合に、当該画像データを記憶手段に記憶させるように制御しているので、削除された画像データが再度転送されて記憶されてしまうことを抑制することができる。
【００１６】
なお、本発明は、請求項２に記載の発明のように、前記特徴部分の画像は、画像データにより示される画像に含まれる人物の顔部分の画像であることが好ましい。
【００１７】
一方、請求項３に記載の発明の撮像装置は、撮像によって被写体像を示す画像データを取得する撮像手段と、前記撮像手段により取得された画像データに対して当該画像データを識別する識別情報を付加する付加手段と、前記付加手段により識別情報が付加された画像データにより示される画像から当該画像の特徴を示す特徴部分の画像を特徴画像データとして抽出する抽出手段と、前記付加手段により識別情報が付加された画像データと前記抽出手段によって抽出された特徴画像データとを関連付けて外部へ送信する送信手段と、を備えている。
【００１８】
また、請求項４に記載の発明の画像記憶装置は、外部装置より送信される、各データを識別するための識別情報が付加された画像データ、及び当該画像データに関連付けられた、当該画像データにより示される画像の特徴を示す特徴部分の画像を示す特徴画像データを受信する受信手段と、既に前記受信手段により受信済みの画像データと特徴画像データとが記憶されると共に、当該受信済みの画像データに付加された識別情報が受信済画像データ情報として記憶された記憶手段と、前記外部装置より画像データが受信された場合に、当該画像データに付加された識別情報が前記記憶手段に記憶された受信済画像データ情報に含まれているか否かを判定することによって当該画像データが既に受信済みであるか否かを判定すると共に、当該画像データが前記記憶手段に記憶されているか否かを判定する判定手段と、前記判定手段により画像データが既に受信済みであり且つ前記記憶手段に記憶されていないと判定された場合に、当該画像データに関連付けられて前記記憶手段に記憶された特徴画像データにより示される特徴部分の画像を表示すると共に、当該画像データを前記記憶手段に記憶させるか否かの指示を促す情報を表示する表示手段と、前記表示手段に表示された指示を促す情報に応じた入力を受け付ける受付手段と、前記受付手段によって受け付けられた指示入力により示される指示内容が画像データの記憶を指示するものである場合に、当該画像データを前記記憶手段に記憶させるように制御する制御手段と、を備えている。
【００１９】
よって、請求項３及び請求項４に記載の発明は、請求項１記載の発明と同様に作用するので、請求項１に記載の発明と同様に、削除された画像データが再度転送されて記憶されてしまうことを抑制することができる。
【００２０】
一方、本発明は、請求項５に記載の発明の画像記憶装置は、外部装置より送信される、各データを識別するための識別情報が付加された画像データを受信する受信手段と、前記受信手段により受信された画像データにより示される画像から当該画像の特徴を示す特徴部分の画像を特徴画像データとして抽出する抽出手段と、既に前記受信手段により受信済みの画像データと特徴画像データとが記憶されると共に、当該受信済みの画像データに付加された識別情報が受信済画像データ情報として記憶された記憶手段と、前記受信手段により画像データが受信された場合に、当該画像データに付加された識別情報が前記記憶手段に記憶された受信済画像データ情報に含まれているか否かを判定することによって当該画像データが既に受信済みであるか否かを判定すると共に、当該画像データが前記記憶手段に記憶されているか否かを判定する判定手段と、前記判定手段により画像データが既に受信済みであり且つ前記記憶手段に記憶されていないと判定された場合に、当該画像データに関連付けられて前記記憶手段に記憶された特徴画像データにより示される特徴部分の画像を表示すると共に、当該画像データを前記記憶手段に記憶させるか否かの指示を促す情報を表示する表示手段と、前記表示手段に表示された指示を促す情報に応じた入力を受け付ける受付手段と、前記受付手段によって受け付けられた指示入力により示される指示内容が画像データの記憶を指示するものである場合に、当該画像データを前記記憶手段に記憶させるように制御する制御手段と、を備えている。
【００２１】
よって、請求項５に記載の発明の画像記憶装置によれば、記憶手段に既に受信済みの画像データを記憶すると共に、当該受信済みの画像データに付加された識別情報を受信済画像データ情報として記憶しており、外部装置より送信された画像データが受信された場合に、受信された画像データにより示される画像から当該画像の特徴を示す特徴部分の画像を特徴画像データとして抽出し、当該画像データに付加された識別情報が記憶手段に記憶された受信済画像データ情報に含まれているか否かを判定することによって当該画像データが既に受信済みであるか否かを判定すると共に、当該画像データが記憶手段に記憶されているか否かを判定し、画像データが既に受信済みであり且つ記憶手段に記憶されていないと判定した場合に、当該画像データに関連付けられて記憶手段に記憶された特徴画像データにより示される特徴部分の画像を表示手段に表示させると共に、当該画像データを記憶手段に記憶させるか否かの指示を促す情報を表示手段に表示させ、表示手段に表示された指示を促す情報に応じて受付手段で受け付けられた指示入力により示される指示内容が画像データの記憶を指示するものである場合に、当該画像データを記憶手段に記憶させるように制御しているので、削除された画像データが再度転送されて記憶されてしまうことを抑制することができる。
【発明の効果】
【００２２】
このように、本発明によれば、削除された画像データが再度転送されて記憶されてしまうことを抑制することができる。
【発明を実施するための最良の形態】
【００２３】
以下、図面を参照しながら本発明の実施の形態について説明する。
【００２４】
図１には、本発明の実施の形態に係る撮像画像記憶システム１０の全体構成が示されている。
【００２５】
同図に示すように、撮像画像記憶システム１０は、撮像装置としてのＤＳＣ１２と、画像記憶装置としてのＰＣ１４と、を備えている。
【００２６】
本実施の形態に係るＤＳＣ１２及びＰＣ１４は、ＵＳＢ（Universal Serial Bus）の通信規格に対応した形状のコネクタ１６Ａ、１６Ｂを各々備えている。ＤＳＣ１２とＰＣ１４は、コネクタ１６Ａ、１６Ｂ同士をＵＳＢケーブル１８によって電気的に接続することにより通信可能となり、ＤＳＣ１２に蓄積された画像データをＰＣ１４へ転送することが可能とされている。
【００２７】
図２には、本実施の形態に係るＤＳＣ１２の概略的な構成が示されている。
【００２８】
ＤＳＣ１２は、レンズ２０Ａを含んで構成された光学ユニット２０と、レンズ２０Ａの光軸後方に配設され、レンズ２０Ａによって受光面上に結像される被写体像を示すアナログ信号を出力する電荷結合素子（以下、「ＣＣＤ」という。）２２と、入力されたアナログ信号に対して各種のアナログ信号処理を行うアナログ信号処理部２４と、入力されたアナログ信号をデジタルデータに変換するアナログ／デジタル変換器（以下、「ＡＤＣ」という。）２６と、入力されたデジタルデータに対して各種のデジタル信号処理を行うデジタル信号処理部２８と、を含んで構成されている。
【００２９】
なお、デジタル信号処理部２８は、所定容量のラインバッファを内蔵し、入力されたデジタルデータを後述するＲＡＭ３２の所定領域に直接記憶させる制御も行う。
【００３０】
ＣＣＤ２２の出力端はアナログ信号処理部２４の入力端に、アナログ信号処理部２４の出力端はＡＤＣ２６の入力端に、ＡＤＣ２６の出力端はデジタル信号処理部２８の入力端に、各々接続されている。従って、ＣＣＤ２２から出力された被写体像を示すアナログ信号はアナログ信号処理部２４によって所定のアナログ信号処理が施され、ＡＤＣ２６によってデジタル画像データに変換された後にデジタル信号処理部２８に入力される。
【００３１】
一方、ＤＳＣ１２は、ＤＳＣ１２全体の動作を司るＣＰＵ（中央処理装置）３０と、撮像により得られたデジタル画像データ等を記憶するＲＡＭ（Random Access Memory）３２と、後述する画像送信処理プログラムを含む各種プログラムや各種パラメータ等が予め記憶されたＲＯＭ（Read Only Memory）３４と、装置本体に備えられた液晶ディスプレイ（以下「ＬＣＤ」という。）３６に被写体像やメニュー画面等を表示させるための信号を生成してＬＣＤ３６に供給するＬＣＤドライバ回路３８と、デジタル画像データに対する圧縮処理及び伸張処理を行う画像処理回路４０と、画像データにより示される画像に含まれる顔領域の認識を行なう顔認識処理回路４２と、可搬型の記録メディア４４をＤＳＣ１２でアクセス可能とするための外部メモリインタフェース４６と、コネクタ１６Ａと接続され、当該コネクタ１６Ａに接続された機器との間でデータを送受信を制御するＵＳＢインターフェース制御部４８と、を含んで構成されている。
【００３２】
なお、本実施の形態のＤＳＣ１２では、記録メディア４４としてｘＤピクチャーカード（xD-Picture Card）が用いられている。
【００３３】
デジタル信号処理部２８、ＣＰＵ３０、ＲＡＭ３２、ＲＯＭ３４、ＬＣＤドライバ回路３８、画像処理回路４０、顔認識処理回路４２、外部メモリインタフェース４６、及びＵＳＢインターフェース制御部４８はシステムバスＢＵＳ１を介して相互に接続されている。従って、ＣＰＵ３０は、ＲＡＭ３２、ＲＯＭ３４へのアクセス及び外部メモリインタフェース４６を介した記録メディア４４へのアクセスと、デジタル信号処理部２８、画像処理回路４０及び顔認識処理回路４２の作動の制御と、ＬＣＤ３６に対するＬＣＤドライバ回路３８を介した各種情報の表示の制御と、ＵＳＢインターフェース制御部４８を介してコネクタ１６Ａに接続された機器との間の各種データの送受信の制御と、を各々行うことができる。
【００３４】
一方、ＤＳＣ１２には、主としてＣＣＤ２２を駆動させるためのタイミング信号を生成してＣＣＤ２２に供給するタイミングジェネレータ５０が備えられており、ＣＣＤ２２の駆動はＣＰＵ３０によりタイミングジェネレータ５０を介して制御される。
【００３５】
さらに、ＤＳＣ１２には、モータ駆動制御部５２が備えられており、光学ユニット２０に備えられた図示しない焦点調整モータ、ズームモータ及び絞り駆動モータの駆動もＣＰＵ３０によりモータ駆動制御部５２を介して制御される。
【００３６】
すなわち、本実施の形態に係る光学ユニット２０は複数枚のレンズ２０Ａ（図２では１枚のみ記載。）を有し、焦点距離の変更（変倍）が可能なズームレンズとしてレンズ駆動機構も備えている。このレンズ駆動機構に上記焦点調整モータ、ズームモータ及び絞り駆動モータは含まれるものであり、これらのモータは各々ＣＰＵ３０の制御によりモータ駆動制御部５２から供給された駆動信号によって駆動する。
【００３７】
ＣＰＵ３０は、光学ズーム倍率を変更する際にはズームモータを駆動制御して光学ユニット２０に含まれるレンズ２０Ａの焦点距離を変化させる。
【００３８】
また、装置本体に備えられたレリーズスイッチや、メニュースイッチ等の各種スイッチ（以下、「操作部５４」と総称。）はＣＰＵ３０に接続されており、ＣＰＵ３０は、これらの操作部５４に対する操作状態を常時把握することができる。
【００３９】
さらに、ＤＳＣ１２（図２参照）には、装置本体に備えられたストロボ５７とＣＰＵ３０との間に介在されると共に、ＣＰＵ３０の制御によりストロボ５７を発光させる制御を行なうストロボ制御部５８が備えられている。ストロボ制御部５８はＣＰＵ３０にも接続されており、ストロボ５７の発光はＣＰＵ３０によって制御される。
【００４０】
一方、図３には、本実施の形態に係るＰＣ１４の概略構成が示されている。
【００４１】
同図に示されるように、ＰＣ１４は、装置全体の動作を司るＣＰＵ６０と、各種データを一時的に記憶するＲＡＭ６２と、画像受信処理プログラムを含む各種プログラム等が予め記憶されたＲＯＭ６４と、ＤＳＣ１２から転送された画像データや後述する保存リスト情報等の各種データを記憶するＨＤＤ（ハード・ディスク・ドライブ）６６と、ＰＣ１４に備えられたディスプレイ６７への各種情報の表示を制御するディスプレイドライバ６８と、キーボードやマウスなどの入力装置７０に対する操作状態を検出する操作入力検出部７２と、を備えている。
【００４２】
また、ＰＣ１４は、ネットワーク８０に接続され、当該ネットワーク８０に接続された図示しない外部装置との間で通信データの送受信を行うネットワークＩ／Ｆ（インタフェース）部７４と、コネクタ１６Ｂと接続され、当該コネクタ１６Ｂに接続された機器との間でデータを送受信を制御するＵＳＢインターフェース制御部７６と、を備えている。
【００４３】
ＣＰＵ６０、ＲＡＭ６２、ＲＯＭ６４、ＨＤＤ６６、ディスプレイドライバ６８、操作入力検出部７２、ネットワークＩ／Ｆ部７４、及びＵＳＢインターフェース制御部７６は、システムバスＢＵＳ２を介して相互に接続されている。従って、ＣＰＵ６０は、ＲＡＭ６２、ＲＯＭ６４、ＨＤＤ６６へのアクセスと、ディスプレイドライバ６８を介したディスプレイ６７への各種情報の表示の制御と、ネットワークＩ／Ｆ部７４を介してネットワーク８０に接続された外部端末との間の各種データの送受信の制御と、ＵＳＢインターフェース制御部７６を介してコネクタ１６Ｂに接続された機器との間の各種データの送受信の制御と、を各々行うことができる。また、ＣＰＵ６０は、操作入力検出部７２を介した入力装置７０に対するユーザの操作常態を常時把握することができる。
【００４４】
次に、本実施の形態に係るＤＳＣ１２の撮像時における全体的な動作について簡単に説明する。
【００４５】
被写体の撮影を行う際に、ＤＳＣ１２は、ＣＣＤ２２による連続的な撮像によって得られた動画像（スルー画像）がＬＣＤ３６に表示されるものとされている。ユーザは、ＬＣＤ３６に表示される動画像により示される被写体像を確認しながら画角を調整することができる。
【００４６】
本実施の形態に係るＤＳＣ１２では、レリーズスイッチは、中間位置まで押下される状態（以下、「半押し状態」という。）と、当該中間位置を超えた最終押下位置まで押下される状態（以下、「全押し状態」という。）と、の２段階の押圧操作が可能に構成されている。
【００４７】
ＤＳＣ１２では、レリーズスイッチが半押し状態とされるとＡＦ（Auto Focus、自動合焦）機能が働き、ＣＰＵ３０による制御により図示しないレンズ駆動機構の焦点調整モータを駆動させて光学ユニット２０に内蔵されたフォーカスレンズの位置を制御する合焦制御が行なわれ、合焦制御の後、ＡＥ（Automatic Exposure、自動露出）機能が働いて露出状態（シャッタースピード、絞りの状態）が設定される。
【００４８】
そして、ＤＳＣ１２では、レリーズスイッチが半押し状態から引き続き全押し状態とされると撮像が行なわれる。
【００４９】
ＣＣＤ２２は、レリーズスイッチが全押し状態とされると、光学ユニット２０を介してＣＣＤ２２の受光面上に結像した被写体像の撮像を行い、当該被写体像を示すアナログ信号をアナログ信号処理部２４に順次出力する。
【００５０】
アナログ信号処理部２４は、ＣＣＤ２２から入力されたアナログ信号に対して相関二重サンプリング処理等のアナログ信号処理を施した後にＡＤＣ２６に順次出力する。
【００５１】
ＡＤＣ２６は、アナログ信号処理部２４から入力されたアナログ信号を各々所定ビット数（例えば、１２ビット）のＲ、Ｇ、Ｂの信号（デジタル画像データ）に変換してデジタル信号処理部２８に順次出力する。
【００５２】
デジタル信号処理部２８は、内蔵しているラインバッファにＡＤＣ２６から順次入力されるデジタル画像データを蓄積して一旦ＲＡＭ３２の所定領域に直接格納する。
【００５３】
ＲＡＭ３２の所定領域に格納されたデジタル画像データは、ＣＰＵ３０による制御に応じてデジタル信号処理部２８により読み出される。
【００５４】
デジタル信号処理部２８は、読み出したデジタル画像データに対して当該画像データにより示される画像の各画素の濃度値などの所定の物理量に応じたデジタルゲインをかけると共に、ガンマ処理及びシャープネス処理を行って８ビットのＲ、Ｇ、Ｂのデジタル画像データを生成する。
【００５５】
そして、デジタル信号処理部２８は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をＲＡＭ３２の上記所定領域とは異なる領域に格納する。なお、本実施の形態に係るデジタル信号処理部２８は、画像データをＲＡＭ３２に格納する際、当該画像データを他の画像データと識別するため、当該画像データを撮像した順番に応じて固有のファイル名に変換して格納する。なお、本実施の形態では、画像データを撮像した順番に応じて固有のファイル名に変換することによって、画像データに対して当該画像データを識別する識別情報を付加するものとしているが、画像データのヘッダ等に識別情報を付加するものとしてよい。
【００５６】
画像処理回路４０は、ＲＡＭ３２に格納されたＹＣ信号を所定の圧縮形式（本実施の形態では、ＪＰＥＧ形式）で圧縮し、圧縮した画像データを外部メモリインタフェース４６を介して記録メディア４４に電子化ファイルとして記録させる。
【００５７】
このように、本実施の形態に係るＤＳＣ１２では、レリーズスイッチが全押し状態とされる毎に、撮像された順番に応じたファイル名の画像データが記録メディア４４に記憶される。
【００５８】
次に、本実施の形態に係るＤＳＣ１２からＰＣ１４へ画像データを転送する際の全体的な動作について簡単に説明する。
【００５９】
ユーザは、ＤＳＣ１２の記録メディア４４に記憶された画像データをＰＣ１４へ転送する場合、図１に示すように、ＤＳＣ１２のコネクタ１６ＡとＰＣ１４のコネクタ１６Ｂ同士をＵＳＢケーブル１８によって電気的に接続する。これにより、ＤＳＣ１２とＰＣ１４は、ＵＳＢケーブル１８を介して互いに通信可能な状態となる。
【００６０】
ＤＳＣ１２では、ＵＳＢケーブル１８を介してコネクタ１６ＡにＰＣ１４が接続されたことを認識すると、ＣＰＵ３０によって後述する画像データ送信処理プログラムが実行される。
【００６１】
一方、ＰＣ１４では、ＵＳＢケーブル１８を介してコネクタ１６ＢにＤＳＣ１２が接続されたことを認識すると、ＣＰＵ６０によって後述する画像データ受信処理プログラムが実行される。
【００６２】
図４には、本実施の形態に係るＤＳＣ１２のＣＰＵ３０により実行される画像送信処理プログラムの処理の流れが示されている。なお、当該プログラムはＲＯＭ３４の所定領域に予め記憶されている。
【００６３】
同図のステップ１００では、記録メディア４４に記憶されている全ての画像データの送信が完了したか否かを判定し、肯定判定であった場合はステップ１０２へ移行する一方、否定判定であった場合はステップ１０２へ移行する。
【００６４】
ステップ１０２では、全画像データ転送終了をＰＣ１４へ通知し、本画像送信処理プログラムの処理を終了する。
【００６５】
一方、ステップ１０４では、記録メディア４４に記憶されている未送信の画像データのうち、例えば、撮像日時の最も古い画像データを転送対象と設定する。
【００６６】
次のステップ１０６では、ＰＣ１４から画像データの転送依頼の通知が入力したか否かを判定し、肯定判定となった場合はステップ１０８へ移行する一方、否定判定となった場合は再度ステップ１０６へ移行して画像データの転送依頼の通知の入力待ちを行なう。
【００６７】
ステップ１０８では、顔認識処理回路４２に対して転送対象と設定した画像データの顔認識を依頼する。
【００６８】
これにより、顔認識処理回路４２は、転送対象の画像データにより示される画像に含まれる顔領域の認識を行ない、顔領域が含まれるか否かを判定する共に、顔領域が含まれる場合、当該顔領域の画像を示す画像データを顔画像データとして抽出する。
【００６９】
次のステップ１１０では、顔認識処理回路４２による判定結果に基づき、転送対象の画像データにより示される画像に顔領域が含まれるか否かを判定し、肯定判定となった場合はステップ１１２へ移行する一方、否定判定となった場合はステップ１１４へ移行する。
【００７０】
ステップ１１２では、画像データの顔領域の有無を示す顔フラグＦにＴｒｕｅを設定する。
【００７１】
一方、ステップ１１４では、顔フラグＦにＦａｌｓｅを設定する。
【００７２】
次のステップ１１６では、転送対象の画像データをＰＣ１４へ転送する。
【００７３】
次のステップ１１８では、顔フラグＦにＴｒｕｅが設定されているか否かを判定し、肯定判定となった場合はステップ１２０へ移行し、否定判定となった場合は上記ステップ１００へ移行する。
【００７４】
ステップ１２０では、顔認識処理回路４２により抽出された顔画像データをステップ１１６において転送した画像データに関連する顔画像データとしてＰＣ１４へ転送し、上記ステップ１００へ移行する。
【００７５】
すなわち、ＤＳＣ１２は、画像データにより示される画像に顔領域が含まれない場合、当該画像データのみを送信し、画像データにより示される画像に顔領域が含まれる場合、当該画像データと当該顔領域の画像を示す顔画像データとを関連付けて共にＰＣ１４へ送信する。
【００７６】
一方、図５には、本実施の形態に係るＰＣ１４のＣＰＵ６０により実行される画像受信処理プログラムの処理の流れが示されている。なお、当該プログラムはＲＯＭ６４の所定領域に予め記憶されている。
【００７７】
同図のステップ１５０では、ディスプレイ６７に保存先フォルダ指定画面２００を表示させる。
【００７８】
図６（Ａ）には、ディスプレイ６７に表示される保存先フォルダ指定画面２００の画面構成の一例が示されている。
【００７９】
同図に示すように、保存先フォルダ指定画面２００には、ＤＳＣ１２から転送される画像データの保存先フォルダを指定する入力部２０２、及び転送開始を指示する転送開始ボタン２０４が設けられいる。
【００８０】
ユーザは、ＤＳＣ１２から転送される画像データを保存するフォルダ名を入力部２０２に入力し、転送開始ボタン２０４をクリックする。
【００８１】
ステップ１５２では、転送開始ボタン２０４をクリックされ、かつ入力部２０２に入力されたフォルダ名がＨＤＤ６０の記憶領域内に存在するフォルダであるか否かを判定することにより、保存先のフォルダが指定されたか否かを判定し、保存先のフォルダが指定された場合はステップ１５４へ移行する一方、保存先のフォルダが指定されていない場合は再度ステップ１５２へ移行して保存先のフォルダの指定待ちを行なう。
【００８２】
ステップ１５４では、１枚分の画像データの転送依頼の通知をＤＳＣ１２へ送信する。なお、以降、ＤＳＣ１２から画像データを転送している間、ディスプレイ６７に、図６（Ｂ）に示される転送処理状況画面２１０を表示させる。
【００８３】
これにより、ＤＳＣ１２は、上述した画像送信処理プログラムのステップ１０６の処理が肯定判定となって、画像データ、及び、当該画像データにより示される画像に顔領域が含まれる場合に、当該画像データと共に顔画像データを送信する。
【００８４】
次のステップ１５６では、ＤＳＣ１２から１枚分の画像データ、及び、当該画像データにより示される画像に顔領域が含まれる場合に当該画像データと共に顔画像データの受信が完了したか否かを判定し、受信が完了した場合はステップ１５８へ移行する一方、受信未完了の場合は再度ステップ１５６へ移行してデータの受信待ちを行なう。
【００８５】
ステップ１５８では、ＨＤＤ６６の所定フォルダに記憶された保存リスト情報を参照し、上記ステップ１５６において受信した画像データのファイル名が当該保存リスト情報に既に登録済みであるか否かから当該受信した画像データが以前に受信済みであるか否かを判定し、以前に受信済みである場合はステップ１７０へ移行する一方、未受信である場合はステップ１６０へ移行する。
【００８６】
図７には、本実施の形態に係る保存リスト情報のデータ構造の一例が模式的に示されている。
【００８７】
同図に示すように、保存リスト情報には、既に受信済みの画像データのファイル名、当該画像データが記憶されたフォルダの記憶領域内の所在地（所謂、パス（ｐａｔｈ））、及び当該画像データと共に顔画像データの受信した場合は当該顔画像データのファイル名が登録されている。なお、本実施の形態に係る保存リスト情報では、ＤＳＣ１２からＰＣ１４に画像データを転送する際に、ＰＣ１４内で画像データのファイル名が変更される場合もあるため、転送された画像データのＤＳＣ１２内でのファイル名とＰＣ１４内での当該画像データが記憶されたフォルダのパス及びファイル名を登録する。
【００８８】
ステップ１６０では、受信した画像データをＨＤＤ６０の記憶領域内の上述した保存先フォルダ指定画面２００（図６（Ａ）参照。）において指定されたフォルダに記憶させる。なお、当該画像データと共に顔画像データの受信した場合は、ＨＤＤ６６の記憶領域内の予め定められたフォルダ（例えば、Ｃ￥ｔｅｍｐ￥）に顔画像データを記憶させる。
【００８９】
次のステップ１６２では、ＨＤＤ６６の記憶領域内の上記所定フォルダに記憶された保存リスト情報に、受信した画像データのファイル名、当該画像データが記憶されたファイル名とパス、及び当該画像データと共に顔画像データの受信した場合は当該顔画像データのファイル名を登録して保存リスト情報を更新する。
【００９０】
一方、ステップ１７０では、ＨＤＤ６６の記憶領域内の上記所定フォルダに記憶された保存リスト情報を参照し、当該保存リスト情報に登録されている、受信した画像データと同一の既に受信済みの画像データが記憶されたフォルダのパスとファイル名を求める。
【００９１】
次のステップ１７２では、上記ステップ１７０において求めたパスのフォルダに、上記ステップ１７０において求めたファイル名のデータが記憶されているか否かを判定し、肯定判定となった場合はステップ１８０へ移行する一方、否定判定となった場合はステップ１７４へ移行する。
【００９２】
すなわち、上記ステップ１５６において受信した画像データと同一の既に受信済みの画像データがまだ削除されることなくＨＤＤ６６に記憶されている場合は、当該受信した画像データをＨＤＤ６０に記憶させることなく、次の画像データの転送に移行する。
【００９３】
次のステップ１７４では、保存リスト情報を参照し、受信した画像データと同一の既に受信済みの画像データに顔画像データが登録されているか否かを判定し、肯定判定となった場合はステップ１７６へ移行する一方、否定判定となった場合はステップ１８０へ移行する。
【００９４】
すなわち、既に受信済みの画像データに顔画像データが登録されていない場合は、受信した画像データをＨＤＤ６０に記憶させることなく、次の画像データの転送に移行する。
【００９５】
ステップ１７６では、受信した画像データと同一の既に受信済みの画像データに対応して登録されている顔画像データのファイル名を保存リスト情報から求める。そして、求めたファイル名の顔画像データをＨＤＤ６６の記憶領域内の上記予め定められたフォルダから読み出す。そして、読み出した顔画像データにより示される顔領域の画像を一部に用いた、画像データをＨＤＤ６６に記憶させるか否かの指示を促す再転送確認画面２２０をディスプレイ６７に表示させる。
【００９６】
図６（Ｃ）には、ディスプレイ６７に表示される再転送確認画面２２０の画面構成の一例が示されている。
【００９７】
同図に示すように、再転送確認画面２２０には、顔画像データにより示される顔領域の画像が表示された表示領域２２２、画像データの再度の転送を指示する「はい」ボタン２２４、画像データの再度の転送を否定する「いいえ」ボタン２２６が設けられいる。
【００９８】
ユーザは、画像データの再度の転送を指示する場合、「はい」ボタン２２４をクリックし、画像データの再度の転送を拒否する場合、「いいえ」ボタン２２６をクリックする。
【００９９】
ステップ１７８では、画像データの再度の転送が指示されたか否かを判定ており、再転送確認画面２２０において「はい」ボタン２２４をクリックされた場合は上記ステップ１６０へ移行する一方、再転送確認画面２２０において「いいえ」ボタン２２６をクリックされた場合はステップ１８０へ移行する。
【０１００】
これにより、「はい」ボタン２２４をクリックされた場合は、受信した画像データがＨＤＤ６０の記憶領域内の保存先フォルダ指定画面２００において指定されたフォルダに記憶される。
【０１０１】
ステップ１８０では、ＤＳＣ１２から全画像データ転送終了が通知されたか否かを判定し、肯定判定となった場合はステップ１８２へ移行する一方、否定判定となった場合は再度ステップ１５４へ移行する。
【０１０２】
ステップ１８２では、ディスプレイ６７に転送終了画面２４０を表示させ、本画像受信処理プログラムの処理を終了する。
【０１０３】
図６（Ｄ）には、ディスプレイ６７に表示される転送終了画面２４０の画面構成の一例が示されている。
【０１０４】
以上詳細に説明したように、本実施の形態によれば、ＰＣ１４内部で既に転送済みの画像データが削除されたとしても、削除された画像データがＤＳＣ１２から再度転送されてしまうことを抑制することができる。
【０１０５】
また、本実施の形態によれば、再転送確認画面２２０に画像データにより示される画像のうち顔領域の画像を表示しているため、ユーザが画像データがどの場面で撮像された画像かを判別し易い。これにより、画像データの再度の転送が必要が否かを判別し易くなる。
【０１０６】
なお、本実施の形態では、撮像装置としてＤＳＣ１２を用い、画像記憶装置としてＰＣ１４を用いた場合について説明したが、本発明はこれに限定されるものではなく、例えば、撮像装置を撮像機能付き携帯電話機や、カメラ等の撮像機器を接続したＰＣとしてもよい。また、画像記憶装置をサーバ・コンピュータや、画像データに基づいて画像のプリントを行なうプリント装置としてもよい。
【０１０７】
また、本実施の形態では、ＤＳＣ１４において画像データから顔画像データを抽出する場合について説明したが、本発明はこれに限定されるものではなく、例えば、ＤＳＣ１４において画像データのみをＰＣ１４へ送信し、ＰＣ１４において受信した画像データから顔画像データを抽出するようにしてもよい。
【０１０８】
さらに、本実施の形態では、特徴画像として顔画像を用いた場合について説明したが、本発明はこれに限定されるものではなく、例えば、中心部分の画像やサムネイル画像など当該画像の特徴となる特徴部分の画像であればいずれであってもよい。
【０１０９】
なお、本実施の形態で説明したＤＳＣ１２の構成（図２参照。）及びＰＣ１４の構成（図３参照。）は、一例であり、本発明の主旨を逸脱しない範囲内において適宜変更可能であることは言うまでもない。
【０１１０】
また、本実施の形態において説明した画像送信処理プログラム及び画像受信処理プログラムの処理の流れ（図４、及び図５参照。）も一例であり、本発明の主旨を逸脱しない範囲内において適宜変更可能であることは言うまでもない。
【図面の簡単な説明】
【０１１１】
【図１】実施の形態に係る撮像画像記憶システムの全体構成を示すブロック図である。
【図２】実施の形態に係るＤＳＣの概略構成を示すブロック図である。
【図３】実施の形態に係るＰＣの概略構成を示すブロック図である。
【図４】実施の形態に係る画像送信処理プログラムの処理の流れを示すフローチャートである。
【図５】実施の形態に係る画像受信処理プログラムの処理の流れを示すフローチャートである。
【図６】実施の形態に係るディスプレイに表示される各画面の表示状態の一例を示す模式図である。
【図７】実施の形態に係る保存リスト情報のデータ構造の一例を示す模式図である。
【符号の説明】
【０１１２】
１０  撮像画像記憶システム
１２  ＤＳＣ（撮像装置）
１４  ＰＣ（画像記憶装置）
２２  ＣＣＤ（撮像手段）
３０  ＣＰＵ（付加手段）
４２  顔認識処理回路（抽出手段）
４８  ＵＳＢインターフェース制御部（送信手段）
６０  ＣＰＵ（判定手段、制御手段）
６７  ディスプレイ（表示手段）
６６  ＨＤＤ（記憶手段）
７０  入力装置（受付手段）
７６  ＵＳＢインターフェース制御部（受信手段）
【図１】
2009010482.tif 000003
【図２】
2009010482.tif 000004
【図３】
2009010482.tif 000005
【図４】
2009010482.tif 000006
【図５】
2009010482.tif 000007
【図６】
2009010482.tif 000008
【図７】
2009010482.tif 000009